(57)【要約】【課題】太陽光発電モジュールの発電効率を、さらに高め得る構成を実現する。【解決手段】この太陽光発電モジュールは、光を受けて発電する発電素子と、太陽光を集光するレンズが設けられた集光部、発電素子が配置される底部、および、底部の外枠を成し、集光部を支持する側壁、を有する閉鎖された筐体と、を備えている。側壁は、樹脂で形成され、少なくとも１つの通気孔を有する。【選択図】図８
2018137996.tif 000002
【特許請求の範囲】
【請求項１】
光を受けて発電する発電素子と、
太陽光を集光するレンズが設けられた集光部、前記発電素子が配置される底部、および、前記底部の外枠を成し、前記集光部を支持する側壁、を有する閉鎖された筐体と、を備え、
前記側壁は、樹脂で形成され、少なくとも１つの通気孔を有しており、
前記筐体は、他の太陽光発電モジュールの前記筐体と嵌合可能な嵌合部を含み、
前記筐体は、前記嵌合部として、前記筐体の上面または底面の延在方向に沿って延びるフランジを含み、
前記フランジは、前記他の太陽光発電モジュールの前記筐体の前記フランジと嵌合可能である、太陽光発電モジュール。
【請求項２】
前記フランジには、複数の前記太陽光発電モジュールが並んで取り付けられるフレーム部材に前記筐体を固定するための固定部が設けられ、
前記フレーム部材に複数の前記筐体が固定された状態において、複数の前記フランジにそれぞれ設けられた複数の前記固定部が前記フレーム部材の延伸方向に沿って一列に並ぶ、請求項１に記載の太陽光発電モジュール。
【請求項３】
前記嵌合部は、前記筐体の上面および底面のいずれか一方を含む面に設けられている、請求項１または請求項２に記載の太陽光発電モジュール。
【発明の詳細な説明】
【技術分野】
【０００１】
本発明は、太陽光発電モジュールに関し、特に、筐体内に設けられた発電素子が太陽光を受けて、受光量に応じた電力を発生する太陽光発電モジュールに関する。
【背景技術】
【０００２】
従来、太陽光を集光して電力に変換する太陽光発電モジュールが開発されている。たとえば、特許文献１（国際公開第２０１３／１５００３１号）には、以下のような技術が開示されている。すなわち、特許文献１に記載の集光型太陽光発電装置は、筐体内にレンズおよび発電素子を備え、当該筐体内にガスを流入させてレンズと発電素子との間の距離を調整する。
【０００３】
また、たとえば、特許文献２（米国特許第８５９２７３８号明細書）には、以下のような技術が開示されている。
すなわち、特許文献２に記載の集光型太陽発電装置では、入射する光の光軸を確認するための装置が取り付けられている。
【０００４】
次に、たとえば、特許文献３（特許第４９５３７４５号公報）には、以下のような技術が開示されている。すなわち、特許文献３に記載の集光型太陽光発電ユニットは、太陽光を集光する集光レンズが接合され集光型太陽光発電ユニットの天面を保護する透光性保護板、集光型太陽光発電ユニットの基本構造体となる長尺状フレーム、複数の太陽電池を実装する太陽電池実装板を備える。また、長尺状フレームは、長手方向の端部に通気孔を備え、長尺状フレーム内部に気流を発生させる。
【０００５】
また、たとえば、特許文献４（特開２００８−４６６１号公報）には、以下のような技術が開示されている。すなわち、特許文献４に記載の集光型太陽発電装置は、底部材と周囲部材と上部材とで囲われ、内部には空間が形成され、かつ、上部材を太陽に対向させるように傾斜させて用いるケースを備えている。このケースの上部材には太陽光を集光するための複数のフレネルレンズを備えさせ、上記ケースの内部には上記フレネルレンズにより夫々集光された光を夫々受光して発電する複数の太陽電池セルを備えさせる。また、上記ケースの周囲部材においては、相対向する面に少なくとも夫々２つずつの開口部を配設し、しかも各面における上記二つの開口部は、上記フレネルレンズ側寄りの上方と、太陽電池セル側寄りの下方に配置する。
【先行技術文献】
【特許文献】
【０００６】
【特許文献１】国際公開第２０１３／１５００３１号
【特許文献２】米国特許第８５９２７３８号明細書
【特許文献３】特許第４９５３７４５号公報
【特許文献４】特開２００８−４６６１号公報
【特許文献５】特開平７−２７４７４２号公報
【発明の概要】
【発明が解決しようとする課題】
【０００７】
上記のような従来技術の根底にある共通かつ究極の課題は、屋外の厳しい環境下において常に、集光した太陽光を、光軸上の正確な位置で発電素子に照射することである。しかしながら、厳しい環境下で常に、正確な照射を実現することは困難であり、結果的に、十分な発電効率が得られていない。
【０００８】
かかる課題に鑑み、本発明は、太陽光発電モジュールの発電効率を、さらに高め得る構成を実現することを目的とする。
【課題を解決するための手段】
【０００９】
本発明の太陽光発電モジュールは、光を受けて発電する発電素子と、太陽光を集光するレンズが設けられた集光部、前記発電素子が配置される底部、および、前記底部の外枠を成し、前記集光部を支持する側壁、を有する閉鎖された筐体と、を備え、前記側壁は、樹脂で形成され、少なくとも１つの通気孔を有している。
【００１０】
また、本発明の太陽光発電モジュールは、光を受けて発電する発電素子と、太陽光を集光するレンズが設けられた集光部、前記発電素子が配置される底部、および、前記底部の外枠を成し、前記集光部を支持する側壁、を有する閉鎖された筐体と、を備え、前記側壁は、樹脂で形成され、少なくとも１つの通気孔を有しており、前記筐体は、他の前記太陽光発電モジュールの前記筐体と嵌合可能な嵌合部を含むものである。
【００１１】
一方、本発明の太陽光発電パネルは、フレーム部材によって複数の区画に仕切られた受け皿状のパネル筐体と、前記区画に装着された複数の太陽光発電モジュールと、を備えるものであって、前記太陽光発電モジュールは、光を受けて発電する発電素子と、太陽光を集光するレンズが設けられた集光部、前記発電素子が配置される底部、および、前記底部の外枠を成し、前記集光部を支持する側壁、を有する閉鎖された筐体と、を備え、前記側壁は、樹脂で形成され、少なくとも１つの通気孔を有している。
【発明の効果】
【００１２】
本発明によれば、太陽光発電モジュールの発電効率を、さらに高め得る構成を実現することができる。
【図面の簡単な説明】
【００１３】
【図１】図１は、第１の実施の形態に係る太陽光発電装置の外観を示す斜視図である。
【図２】図２は、図１に示す架台の構成を示す斜視図である。
【図３】図３は、第１の実施の形態に係る太陽光発電モジュールの外観を示す斜視図である。
【図４】図４は、第１の実施の形態に係る太陽光発電モジュールの平面図である。
【図５】図５は、第１の実施の形態に係る太陽光発電モジュールにおける筐体の詳細な構成を示す斜視図である。
【図６】図６は、第１の実施の形態に係る太陽光発電モジュールの筐体がフレーム部材に取り付けられた状態を説明するための断面図である。
【図７】図７は、図５に示す通気孔の拡大図である。
【図８】図８は、第１の実施の形態に係る太陽光発電モジュールにおける筐体の詳細な構成を示す斜視図である。
【図９】図９は、図８に示す複数の太陽光発電モジュールが連結した状態を示す斜視図である。
【図１０】図１０は、第２の実施の形態に係る太陽光発電モジュールの筐体がフレーム部材に取り付けられた状態（その１）を説明するための断面図である。
【図１１】図１１は、第２の実施の形態に係る太陽光発電モジュールの筐体がフレーム部材に取り付けられた状態（その２）を説明するための断面図である。
【図１２】図１２は、通気孔周辺の構成を、さらに詳細に示す斜視図である。
【図１３】図１３は、庇部の形態の第２例を示す斜視図である。
【図１４】図１４は、庇部の形態の第３例を示す斜視図である。
【図１５】図１５は、庇部周辺の形態の第４例を示す斜視図である。
【図１６】図１６は、庇部の形態の第５例を示す斜視図である。
【図１７】図１７は、図１６に示す庇部を外側から見た正面図である。
【図１８】図１８は、太陽光発電装置の外観を示す側面図である。
【図１９】図１９は、集光部のフレネルレンズに対して入射角０度で太陽光が入射する場合の光路を示す断面図である。
【図２０】図２０は、追尾がずれている場合の、太陽光発電装置と太陽光との関係を示す側面図である。
【図２１】図２１は、集光部のフレネルレンズに対して入射角が０度より許容範囲外に大きくずれた状態で太陽光が入射する場合の光路を示す断面図である。
【図２２】図２２は、図２１と同様に、集光部のフレネルレンズに対して入射角が０度より許容範囲外に大きくずれた状態で太陽光が入射する場合の光路を示す断面図である。
【図２３】図２３は、集光部の図示を省略した筐体における遮蔽板の配置を示す概略の平面図である。
【発明を実施するための形態】
【００１４】
［実施形態の要旨］
本発明の実施形態の要旨としては、少なくとも以下に列記するものが含まれる。
【００１５】
（１）本発明の実施の形態に係る太陽光発電モジュールは、光を受けて発電する発電素子と、太陽光を集光するレンズが設けられた集光部、前記発電素子が配置される底部、および、前記底部の外枠を成し、前記集光部を支持する側壁、を有する閉鎖された筐体と、を備え、前記側壁は、樹脂で形成され、少なくとも１つの通気孔を有している。
【００１６】
このような、筐体の側壁に通気孔が設けられる構成により、筐体内の温度を気温に近づけ、過度な温度上昇を抑制することができる。また、気温の変化に伴ってレンズの焦点距離が変化する場合、樹脂で形成されている側壁もまた気温の変化に伴って膨張または収縮して、レンズと発電素子との距離が変化する。このため、レンズの焦点距離が変化したとしても、発電素子に集光される太陽光の光量が大幅に低下することを防ぎ、太陽光発電モジュールの発電効率の低下を抑制することができる。
【００１７】
（２）また、（１）の太陽光発電モジュールにおいて、前記集光部および前記底部の相対的な位置関係をそれぞれ、上および下、とするとき、前記通気孔の上から前記側壁の外側へ張り出し、かつ、前記通気孔の外側で下へ垂れる形状の庇部が形成されていてもよい。
この場合、上から落ちてくる塵埃、水滴、異物、その他通気孔には入れたくない物を、庇部によって排除することができる。
【００１８】
（３）また、（２）の太陽光発電モジュールにおいて、前記庇部は、その上面が下り傾斜していてもよい。
この場合、付着した塵埃が滑り落ち易くなるので、塵埃が、庇部の上面に堆積しにくい。
【００１９】
（４）また、（２）または（３）の太陽光発電モジュールにおいて、前記庇部は、前記通気孔の上側の一部を隠す形状であってもよい。
この場合、庇部が、通気孔を外側正面から全部隠す（但し、下方に隙間はある。）ことにならない。従って、庇部による塵埃等の排除と、通気孔の良好な通気性とを、両立させることができる。
【００２０】
（５）また、（１）の太陽光発電モジュールにおいて、前記通気孔を介した前記筐体の内部空間への異物侵入を抑制する異物侵入抑制部を備え、当該異物侵入抑制部は前記通気孔のフィルタを含むものであってもよい。
このように、筐体の側壁に通気孔が設けられる構成により、筐体の上面または底面に通気孔が設けられる構成に比べて、雨水、水滴または虫などの異物の侵入を効果的に抑制することができる。さらに、異物侵入抑制部が設けられていることにより、空気の出入りを確保しながら異物の侵入をより確実に抑制することができる。従って、より優れた太陽光発電モジュールを提供することができる。
【００２１】
（６）また、（５）の太陽光発電モジュールにおいて、たとえば、前記筐体はフレーム部材に固定され、前記フレーム部材に前記筐体が固定された状態において前記側壁が前記フレーム部材と対向し、前記異物侵入抑制部は、前記側壁と前記フレーム部材との隙間を含む。
このように、異物が筐体の側壁とフレーム部材との隙間を経由しない限り筐体内へ侵入しない構成であることにより、異物の侵入を一層抑制することができる。また、筐体の側壁とフレーム部材との隙間を異物侵入抑制部として利用することにより、新たな部材を別途用いることなく異物の侵入を抑制することができるため、低コストを実現することができる。
【００２２】
（７）また、（６）の太陽光発電モジュールにおいて、たとえば、前記筐体は、前記フレーム部材に固定された状態において前記フレーム部材に接触するフランジを含み、前記異物侵入抑制部は、前記側壁と前記フランジと前記フレーム部材との隙間を含む。
このように、筐体のフランジがフレーム部材に接触することにより、筐体の側壁とフレーム部材との隙間の一部がフランジにより塞がれ、異物の侵入経路がさらに制限されるため、異物の侵入を一層抑制することができる。
【００２３】
（８）他の観点から見た本発明の実施の形態に係る太陽光発電モジュールは、光を受けて発電する発電素子と、太陽光を集光するレンズが設けられた集光部、前記発電素子が配置される底部、および、前記底部の外枠を成し、前記集光部を支持する側壁、を有する閉鎖された筐体と、を備え、前記側壁は、樹脂で形成され、少なくとも１つの通気孔を有しており、前記筐体は、他の前記太陽光発電モジュールの前記筐体と嵌合可能な嵌合部を含む。
【００２４】
このような構成により、複数の太陽光発電モジュールの嵌合部を互いに嵌め合うことでこれら複数の太陽光発電モジュールを連結することができるため、各太陽光発電モジュールの配置のための位置決めを容易に行うことができ、誤配置防止、および太陽光発電モジュールの連結のための施工時間の短縮を実現することができる。また、施工時間の短縮に伴い、施工のために要するコストを少なくすることができる。従って、より優れた太陽光発電モジュールを提供することができる。
【００２５】
（９）また、（８）の太陽光発電モジュールにおいて、たとえば、前記筐体は、前記嵌合部として、前記筐体の上面または底面の延在方向に沿って延びるフランジを含み、前記フランジは、他の前記太陽光発電モジュールの前記筐体の前記フランジと嵌合可能である。
このような構成により、複数の太陽光発電モジュールを連結させる際、嵌合部を目視しながら施工を行うことができるため、連結作業を行いやすい。また、フランジに嵌合部を設けることにより、嵌合のための構造を比較的容易に作製することができる。
【００２６】
（１０）また、（９）の太陽光発電モジュールにおいて、前記フランジには、複数の前記太陽光発電モジュールが並んで取り付けられるフレーム部材に前記筐体を固定するための固定部が設けられ、前記フレーム部材に複数の前記筐体が固定された状態において、複数の前記フランジにそれぞれ設けられた複数の前記固定部が前記フレーム部材の延伸方向に沿って一列に並ぶ、という構成であってもよい。
このような構成により、複数の太陽光発電モジュールをフレーム部材に固定するための作業を効率良く行うことができる。
【００２７】
（１１）また、（８）〜（１０）のいずれかの太陽光発電モジュールにおいて、たとえば、前記嵌合部は、前記筐体の上面および底面のいずれか一方を含む面に設けられている。
【００２８】
上記（１１）におけるいずれか一方が「上面」であるとすると、このような構成により、たとえば、フレーム部材に筐体を固定するための固定部が嵌合部に設けられている場合、筐体の上面に設けられるレンズを上に向けた状態すなわち使用状態のまま、筐体の上方から当該筐体をフレーム部材に対して固定する作業を行うことができる。このため、たとえば、複数の太陽光発電モジュールを連結した後にこれら複数の太陽光発電モジュールをまとめてフレーム部材に固定するような場合、連結された太陽光発電モジュールの向きを大きく変えることなく筐体をフレーム部材に対して固定する作業を行うことができるため、当該作業を容易に行うことができる。
【００２９】
上記（１１）におけるいずれか一方が「底面」であるとすると、このような構成により、たとえば、フレーム部材に筐体を固定するための固定部が嵌合部に設けられている場合、筐体の下方から当該筐体をフレーム部材に対して固定する作業を行うことができる。このため、たとえば、複数の太陽光発電モジュールを連結する前に太陽光発電モジュールをそれぞれフレーム部材に固定するような場合、筐体をフレーム部材に対して固定するための作業に用いられる工具が筐体の上面のレンズに接触するなどの可能性を低くすることができ、当該作業を容易に行うことができる。
【００３０】
（１２）また、（１）〜（１１）のいずれかの太陽光発電モジュールにおいて、前記側壁の内面に沿って内方へ張り出して設けられ、集光する太陽光が前記発電素子から外れた場合に、集光する太陽光から前記内面および前記通気孔を遮蔽する遮蔽板、が設けられた構成であってもよい。
この構成によれば、集光する太陽光が発電素子から外れた場合に、遮蔽板によって、側壁の内面や、通気孔に設けられるフィルタの焼損を防止することができる。
【００３１】
（１３）また、本発明の実施の形態に係る太陽光発電パネルは、フレーム部材によって複数の区画に仕切られた受け皿状のパネル筐体と、前記区画に装着された複数の太陽光発電モジュールと、を備えるものであって、前記太陽光発電モジュールは、光を受けて発電する発電素子と、太陽光を集光するレンズが設けられた集光部、前記発電素子が配置される底部、および、前記底部の外枠を成し、前記集光部を支持する側壁、を有する閉鎖された筐体と、を備え、前記側壁は、樹脂で形成され、少なくとも１つの通気孔を有している。
【００３２】
このような、筐体の側壁に通気孔が設けられる構成により、筐体内の温度を気温に近づけ、過度な温度上昇を抑制することができる。また、気温の変化に伴ってレンズの焦点距離が変化する場合、樹脂で形成されている側壁もまた気温の変化に伴って膨張または収縮して、レンズと発電素子との距離が変化する。このため、レンズの焦点距離が変化したとしても、発電素子に集光される太陽光の光量が大幅に低下することを防ぎ、太陽光発電モジュールの発電効率の低下を抑制することができる。
また、樹脂製の側壁を有する太陽光発電モジュールであっても、パネル筐体への装着により、十分な機械的強度を発揮する。
【００３３】
［実施形態の詳細］
以下、本発明の実施の形態について図面を用いて説明する。便宜上、説明したいポイントに沿って、第１部、第２部に分けて説明する。
【００３４】
第１部は、主として、上述の（１）、（２）、（５）〜（１１）、（１３）に関連する。
第２部は、主として、上述の（１）〜（４）、（１２）に関連する。
但し、第１部の構成、及び、第２部の構成は、相互に任意に組み合わせることができる。
【００３５】
なお、各図中同一または相当部分には同一符号を付している。また、第１部、第２部のそれぞれにおいて、以下に記載する実施の形態の少なくとも一部を任意に組み合わせてもよい。
【００３６】
＜第１部＞
【００３７】
（第１の実施の形態）
［太陽光発電装置の構成］
図１は、第１の実施の形態に係る太陽光発電装置の外観を示す斜視図である。また、図２は、図１に示す架台の構成を示す斜視図である。
【００３８】
図１を参照して、太陽光発電装置１００は、複数の太陽光発電モジュール１と、架台２とを備える。架台２は、フレーム部材Ｆ１と、図示しない太陽方位計Ｃ１と、図示しない駆動部Ｍ１とを含む。太陽方位計Ｃ１は、太陽の位置を検知するためのセンサを含む。複数の太陽光発電モジュール１は、並べられた状態でフレーム部材Ｆ１に固定される。
【００３９】
駆動部Ｍ１は、太陽方位計Ｃ１から出力される信号に基づいて太陽の位置を認識し、たとえば日の出から日没までの間、太陽光発電モジュール１の受光面が太陽と正対するように、フレーム部材Ｆ１の向きを変化させる。
【００４０】
図２を参照して、架台２のフレーム部材Ｆ１は、複数の柱が縦方向および横方向に交差するように設けられ、このフレーム部材Ｆ１により形成される直方体（但し、上面なし、底面あり。）の各収容部Ｅ１に太陽光発電モジュール１が１つずつ挿入される。なお、図２に示す収容部Ｅ１は直方体であるが、この収容部Ｅ１は立方体などであってもよい。
【００４１】
複数の収容部Ｅ１を有するパネル筐体（フレーム全体）１２は、フレーム部材Ｆ１によって複数の区画（収容部）に仕切られた受け皿状の形態となっている。なお、後述する太陽光発電モジュールの側壁は樹脂製であるが、このような太陽光発電モジュールであっても、パネル筐体１２への装着により、十分な機械的強度を発揮する。
【００４２】
［太陽光発電モジュールの構成］
図３は、第１の実施の形態に係る太陽光発電モジュールの外観を示す斜視図である。また、図４は、第１の実施の形態に係る太陽光発電モジュールの平面図である。
【００４３】
図３および図４を参照して、太陽光発電モジュール１は、たとえば樹脂により形成された直方体または立方体の形状を有する筐体２１を含む。筐体２１は、底部２３と、側壁２４と、集光部２２と、フランジ２７とを有する。
【００４４】
側壁２４は、筐体２１の側面に相当し、集光部２２は、筐体２１の上面に相当する。集光部２２は、複数のフレネルレンズ２２ｆを含む。フランジ２７は、たとえば側壁２４の長手方向に沿った集光部２２側の部分に設けられている。
【００４５】
集光部２２において、フレネルレンズ２２ｆは、たとえば正方格子状に配置されている。具体的には、各フレネルレンズ２２ｆは、たとえば互いに隣接するフレネルレンズ２２ｆの中心同士の距離が同じＷ１となるように配置されている。
【００４６】
図５は、第１の実施の形態に係る太陽光発電モジュールにおける筐体の詳細な構成を示す斜視図である。図５では、筐体２１の内部の構成を説明するため、集光部２２を図示していない。
【００４７】
図５を参照して、太陽光発電モジュール１は、筐体２１に加えて、さらに、複数の発電素子３０と、複数のＦＰＣ（フレキシブルプリント基板：Ｆｌｅｘｉｂｌｅ  Ｐｒｉｎｔｅｄ  Ｃｉｒｃｕｉｔｓ）３１とを備える。発電素子３０およびＦＰＣ３１は、筐体２１の内部に収容される。また、筐体２１の側壁２４には、通気孔２４ｈが形成されている。
【００４８】
底部２３は、たとえばアルミニウムにより形成されている。複数のＦＰＣ３１は、底部２３において互いに平行または略平行に並んで配置されており、各ＦＰＣ３１に複数の発電素子３０が実装されている。各発電素子３０は、各フレネルレンズ２２ｆに対応する位置に設けられており、対応のフレネルレンズ２２ｆによって集光された太陽光を受けて、受光量に応じた電力を発生する。
【００４９】
以上のように、太陽光発電モジュール１は、光を受けて発電する発電素子３０と、発電素子３０を収容する閉鎖された筐体２１とを備えている。筐体２１は、太陽光を集光するレンズ（フレネルレンズ２２ｆ）が設けられた集光部２２、発電素子３０が配置される底部２３、および、底部２３の外枠を成し、集光部２２を支持する側壁２４を有する。
【００５０】
ここで、太陽光発電装置１００は、気温の高低差の大きい場所などで使用されることがあり、気温の変化によって底部２３が膨張または収縮することにより、底部２３に設けられた発電素子３０と筐体２１の上面に設けられたフレネルレンズ２２ｆとの間の距離が変化することがある。
【００５１】
そして、このように、発電素子３０とフレネルレンズ２２ｆとの間の距離が変化した場合、当該距離がフレネルレンズ２２ｆの焦点距離に合わず、太陽光を効率良く集光することができない可能性がある。このため、気温の変化による底部２３の膨張および収縮を防ぐことが求められる。
【００５２】
これに対して、本実施の第１の形態に係る太陽光発電モジュール１では、側壁２４に通気孔２４ｈが形成されていることにより、筐体２１内が密閉した空間になることを避けることができる。すなわち、筐体２１内において空気の流れを発生させることにより、筐体２１内の温度の大幅な変化を抑制することができるため、底部２３の膨張および収縮を防ぐことできる。
このように、筐体２１の側壁２４に通気孔２４ｈが設けられる構成により、筐体２１内の温度を気温に近づけ、過度な温度上昇を抑制することができる。
【００５３】
通気孔２４ｈは、たとえば図５に示すように、筐体２１の各側壁２４に１つずつ形成されている。なお、筐体２１内において空気の流れが発生するように構成されていれば、通気孔２４ｈの数および大きさは制限されず、たとえば、筐体２１の側壁２４のうち、いずれか１つの側壁２４に通気孔２４ｈが形成されていてもよい。
なお、筐体２１全体で少なくとも２つの通気孔があれば、空気の入口と出口がある状態となるので好ましい。但し、筐体２１全体で通気孔が１つであっても、筐体２１内が密閉した空間になることは避けられ、筐体内と外気との圧力バランスを保つことができる。また、通気孔の開口面積や形状を工夫することで最低限の通気性は確保することができる。
【００５４】
なお、図５では、フランジ２７は、筐体２１の側壁２４の長手方向全体、すなわち側壁２４の縁全体に亘って設けられているが、当該長手方向の一部に設けられていてもよい。
【００５５】
図６は、第１の実施の形態に係る太陽光発電モジュールの筐体がフレーム部材に取り付けられた状態を説明するための断面図である。
【００５６】
図６を参照して、太陽光発電モジュール１の筐体２１がフレーム部材Ｆ１により形成される収容部Ｅ１に挿入された状態において、筐体２１のフランジ２７がフレーム部材Ｆ１の上面に接触する。そして、このような状態において、たとえばフランジ２７に形成された取付穴２８にボルト２９が挿入されることにより、筐体２１がフレーム部材Ｆ１に固定される。
【００５７】
なお、取付穴２８にボルト２９が挿入されることにより筐体２１がフレーム部材Ｆ１に固定される構成に限らず、他の方法で筐体２１がフレーム部材Ｆ１に固定されてもよい。
【００５８】
また、太陽光発電モジュール１は、さらに、通気孔２４ｈを介して筐体２１の内部へ雨水、水滴または虫などの異物が侵入することを抑制するための異物侵入抑制部１４０を備える。
【００５９】
異物侵入抑制部１４０は、筐体２１の外部側において通気孔２４ｈの少なくとも一部を覆っている外部側カバー（カバー）１４１と、通気孔２４ｈを覆い、かつ通気孔２４ｈを介した空気の出入りを可能とする図示しないフィルタとを含む。
【００６０】
また、筐体２１がフレーム部材Ｆ１に固定された状態において互いに対向する側壁２４とフレーム部材Ｆ１との間には、隙間Ｅ２が形成される。異物侵入抑制部１４０は、外部側カバー１４１およびフィルタに加えて、さらに、当該隙間Ｅ２を含む。
【００６１】
当該隙間Ｅ２の幅は、通気孔２４ｈを介した筐体２１の内部への異物の侵入を抑制するために狭い方が好ましく、たとえば１ｍｍである。なお、図６では、隙間Ｅ２の上方がフランジ２７により塞がれているが、当該隙間Ｅ２は必ずしもフランジ２７により塞がれていなくてもよい。
【００６２】
外部側カバー１４１は、たとえば、通気孔２４ｈからの雨水の侵入を効果的に防止するために通気孔２４ｈの上方から通気孔２４ｈを塞ぐように設けられている。なお、外部側カバー１４１は、図６に示すような形状に限らず、たとえば、ラビリンス構造、すなわち筐体２１の外部から通気孔２４ｈまでの経路が入り組むように複数の層が重なる形状に形成されていてもよい。外部側カバー１４１がこのような形状に構成されている場合、異物の侵入をより効果的に防止することができる。
【００６３】
フィルタは、たとえば、通気孔２４ｈ全体を覆うように、筐体２１の内部側から通気孔２４ｈの周囲に融着される。これにより、比較的簡単な方法でフィルタを通気孔２４ｈの周囲に密着させることができる。
【００６４】
［通気孔の詳細な構成］
図７は、図５に示す通気孔の拡大図である。
【００６５】
図７を参照して、異物侵入抑制部１４０は、さらに、筐体２１の内部側において通気孔２４ｈの少なくとも一部を覆っているフィルタ１４２を含む。
【００６６】
フィルタ１４２は、たとえば、メッシュ状に樹脂成型される。具体的には、フィルタ１４２は、耐薬品性および耐熱性に優れた四フッ化エチレン樹脂（ＰＴＦＥ）などが用いられた射出成型により筐体２１の側壁２４と一体成型される。
【００６７】
なお、異物侵入抑制部１４０は、外部側カバー１４１およびフィルタ１４２のいずれか一方のみを含む構成であってもよいし、外部側カバー１４１およびフィルタ１４２の双方を含まず、隙間Ｅ２のみを含む構成であってもよい。
【００６８】
ところで、特許文献３に記載の集光型太陽光発電ユニットでは、長尺上フレームの端部に設けられた通気孔から雨水または砂塵などの異物が長尺状フレームの内部へ侵入することを防止するため、通気孔を被覆する通気孔被覆部が設けられている。
【００６９】
しかしながら、このような構成であっても、当該通気孔は長尺状フレームの底面に形成されており、上方からの異物の侵入を十分に防ぐことができない可能性がある。そして、異物が侵入することにより集光型太陽光発電ユニットの性能の劣化などを招く虞がある。
【００７０】
これに対して、第１の実施の形態に係る太陽光発電モジュール１は、発電素子３０と、発電素子３０が収容される筐体２１とを備える。また、筐体２１の側壁２４には通気孔２４ｈが形成されている。さらに、太陽光発電モジュール１は、通気孔２４ｈを介した筐体２１の内部空間への異物侵入を抑制する異物侵入抑制部１４０を備える。
【００７１】
このように、筐体２１の側壁２４に通気孔２４ｈが設けられる構成により、筐体２１の上面または底部２３に通気孔が設けられる構成に比べて、雨水、水滴または虫などの異物の侵入を効果的に抑制することができる。さらに、異物侵入抑制部１４０が設けられていることにより、空気の出入りを確保しながら異物の侵入をより確実に抑制することができる。従って、より優れた太陽光発電モジュールを提供することができる。
【００７２】
また、第１の実施の形態に係る太陽光発電モジュール１では、筐体２１は、フレーム部材Ｆ１に固定される。また、フレーム部材Ｆ１に筐体２１が固定された状態において、筐体２１の側壁２４がフレーム部材Ｆ１と対向し、異物侵入抑制部１４０は、筐体２１の側壁２４とフレーム部材Ｆ１との隙間Ｅ２を含む。
【００７３】
このように、異物が筐体２１の側壁２４とフレーム部材Ｆ１との隙間Ｅ２を経由しない限り筐体２１内へ侵入しない構成であることにより、異物の侵入を一層抑制することができる。また、筐体２１の側壁２４とフレーム部材Ｆ１との隙間Ｅ２を異物侵入抑制部１４０として利用することにより、新たな部材を別途用いることなく異物の侵入を抑制することができるため、低コストを実現することができる。
【００７４】
また、第１の実施の形態に係る太陽光発電モジュール１では、筐体２１は、フレーム部材Ｆ１に固定された状態においてフレーム部材Ｆ１に接触するフランジ２７を含む。また、異物侵入抑制部１４０は、筐体２１の側壁２４とフランジ２７とフレーム部材Ｆ１との隙間Ｅ２を含む。
【００７５】
このように、筐体２１のフランジ２７がフレーム部材Ｆ１に接触することにより、筐体２１の側壁２４とフレーム部材Ｆ１との隙間Ｅ２の一部がフランジ２７により塞がれ、異物の侵入経路がさらに制限されるため、異物の侵入を一層抑制することができる。
【００７６】
また、第１の実施の形態に係る太陽光発電モジュール１では、異物侵入抑制部１４０は、通気孔２４ｈの少なくとも一部を覆う外部側カバー１４１，フィルタ１４２を含む。
【００７７】
このような構成により、簡単かつより確実に異物の侵入を抑制することができる。
【００７８】
また、第１の実施の形態に係る太陽光発電モジュール１では、筐体２１の少なくとも一部は樹脂により形成されている。
【００７９】
このような構成により、たとえば、射出成型などにより、通気孔２４ｈが形成された筐体を低コストで作製することができる。
【００８０】
次に、他の実施の形態について図面を用いて説明する。なお、図中同一または相当部分には同一符号を付してその説明は繰り返さない。
【００８１】
（第２の実施の形態）
第２の実施の形態に係る太陽光発電モジュール１は、他の太陽光発電モジュール１の筐体２１と嵌合可能な構成を含む。ここでは、上述した第１の実施の形態に係る太陽光発電モジュール１と異なる点について主に説明する。
【００８２】
図８は、第１の実施の形態に係る太陽光発電モジュールにおける筐体の詳細な構成を示す斜視図である。図９は、図８に示す複数の太陽光発電モジュールが連結した状態を示す斜視図である。図１０は、第２の実施の形態に係る太陽光発電モジュールの筐体がフレーム部材に取り付けられた状態（その１）を説明するための断面図である。
【００８３】
なお、図８では、集光部２２を図示していない。また、図９では、通気孔２４ｈ、集光部２２、発電素子３０およびＦＰＣ３１を図示していない。
【００８４】
図８から図１０を参照して、太陽光発電モジュール１の筐体２１は、上述した第１の実施の形態に係る筐体２１と比較して、フランジ２７の代わりに、他の太陽光発電モジュール１の筐体２１と嵌合可能な嵌合部５０を含む。具体的には、筐体２１は、嵌合部５０として、筐体２１の上面の延在方向に沿って延びる複数のフランジ５１を含む。
【００８５】
フランジ５１は、以下で説明する内容以外は、上述した第１の実施の形態に係る筐体２１のフランジ２７と同様の構成である。以下、フランジ５１の説明として、フランジ２７と異なる点について主に説明する。
【００８６】
すなわち、筐体２１は、自己の上面を含む面において、当該上面を介して横方向に対向する複数のフランジ５１を含む。これら対向するフランジ５１は、互いに非対称であって嵌合可能な形状を有する。
【００８７】
たとえば、フランジ５１のうち、図８に示すｚ軸方向において手前側の側壁２４に設けられたフランジ５１Ａは、筐体２１の上面と平行または略平行な方向に沿って突出した２つの凸部５２Ａと、各凸部５２Ａの両側に設けられた３つの凹部５３Ｂとを有する。また、フランジ５１のうち、図８に示すｚ軸方向において奥側の側壁２４に設けられたフランジ５１Ｂは、筐体２１の上面と平行または略平行な方向に沿って突出した３つの凸部５２Ｂと、各凸部５２Ｂの間に設けられた２つの凹部５３Ｂとを有する。
【００８８】
そして、図９に示すように、互いに隣接する複数の太陽光発電モジュール１のうち、たとえば、太陽光発電モジュール１Ａのフランジ５１Ａにおける２つの凸部５２Ａと、太陽光発電モジュール１Ｂのフランジ５１Ｂにおける２つの凹部５３Ｂとが当接することにより、フランジ５１Ａとフランジ５１Ｂとが嵌合し、太陽光発電モジュール１Ａと太陽光発電モジュール１Ｂとが連結する。
【００８９】
また、図８に示すように、たとえば、フランジ５１のうち、図８に示すｘ軸方向において手前側の側壁２４に設けられたフランジ５１Ｃは、筐体２１の上面と平行または略平行な方向に沿って突出した２つの凸部５４Ｃと、各凸部５４Ａの両側に設けられた３つの凹部５５Ｃとを有する。また、フランジ５１のうち、図８に示すｘ軸方向において奥側の側壁２４に設けられたフランジ５１Ｄは、筐体２１の上面と平行または略平行な方向に沿って突出した３つの凸部５４Ｄと、各凸部５４Ｄの間に設けられた２つの凹部５５Ｄとを有する。
【００９０】
そして、互いに隣接する複数の太陽光発電モジュール１のうち、ある太陽光発電モジュール１のフランジ５１Ｃにおける２つの凸部５４Ｃと、他の太陽光発電モジュール１のフランジ５１Ｄにおける２つの凹部５５Ｄとが当接することにより、フランジ５１Ｃとフランジ５１Ｄとが嵌合し、これら複数の太陽光発電モジュール１が互いに連結する。
【００９１】
なお、フランジ５１の凸部５２Ａ，５２Ｂ，５４Ｃ，５４Ｄおよび凹部５３Ａ，５３Ｂ，５５Ｃ，５５Ｄは、たとえば、射出成型により筐体２１の側壁２４と一体成型される。
【００９２】
また、たとえば、フランジ５１の凸部５２Ａ，５２Ｂ，５４Ｃ，５４Ｄには、筐体２１をフレーム部材Ｆ１に固定するための取付穴（固定部）５６が形成されている。そして、図１０に示すように、複数の太陽光発電モジュール１の各フランジ５１がフレーム部材Ｆ１の上面に接触した状態において、各フランジ５１の凸部５２Ａ，５２Ｂ，５４Ｃ，５４Ｄにそれぞれ形成されている複数の取付穴５６にボルト５７が挿入されることにより、各太陽光発電モジュール１の筐体２１が架台２のフレーム部材Ｆ１に固定される。
【００９３】
そして、このように筐体２１がフレーム部材Ｆ１に固定された状態において、図９に示すように、たとえば、フランジ５１Ａにおける凸部５２Ａの取付穴５６と、フランジ５１Ｂにおける凸部５２Ｂの取付穴５６とが、フレーム部材Ｆ１の延伸方向Ｄ１に沿って交互に一列に並ぶ。
【００９４】
図１１は、第２の実施の形態に係る太陽光発電モジュールの筐体がフレーム部材に取り付けられた状態（その２）を説明するための断面図である。
【００９５】
筐体２１は、自己の上面を含む面に設けられるフランジ５１の代わりに、自己の底部２３を含む面において、当該底部２３を介して対向する複数のフランジ５１を嵌合部５０として備える構成であってもよい。
【００９６】
このような構成の場合、図１１に示すように、たとえば、複数の太陽光発電モジュール１の各フランジ５１がフレーム部材Ｆ１の下面に接触した状態において、各フランジ５１の凸部５２Ａ，５２Ｂ，５４Ｃ，５４Ｄにそれぞれ形成されている複数の取付穴５６にボルト５７が挿入される。これにより、各太陽光発電モジュール１の筐体２１が架台２のフレーム部材Ｆ１に固定される。
【００９７】
その他の構成は上述した第１の実施の形態に係る太陽光発電装置１００と同様であるため、ここでは詳細な説明を繰り返さない。
【００９８】
ところで、特許文献４に記載の集光型太陽発電装置では、複数の集光型発電モジュールを受台の上に並べて配置するが、各集光型発電モジュールの配置位置が明確ではなく、配置のための作業に多くの時間を要したり、集光型発電モジュールの誤配置を招いたりする虞がある。
【００９９】
これに対して、第２の実施の形態に係る太陽光発電モジュール１は、発電素子３０と、発電素子３０が収容される筐体２１とを備える。また、筐体２１は、他の太陽光発電モジュール１の筐体２１と嵌合可能な嵌合部５０を含む。
【０１００】
このような構成により、複数の太陽光発電モジュール１の嵌合部５０を互いに嵌め合うことでこれら複数の太陽光発電モジュール１を連結することができるため、各太陽光発電モジュール１の配置のための位置決めを容易に行うことができ、誤配置防止、および太陽光発電モジュール１の連結のための作業時間の短縮を実現することができる。また、作業時間の短縮に伴い、施工のために要するコストを少なくすることができる。従って、より優れた太陽光発電モジュールを提供することができる。
【０１０１】
また、第２の実施の形態に係る太陽光発電モジュール１では、筐体２１は、嵌合部５０として、筐体２１の上面または底部２３の延在方向に沿って延びるフランジ５１を含む。また、フランジ５１は、他の太陽光発電モジュール１の筐体２１のフランジ５１と嵌合可能である。
【０１０２】
このような構成により、複数の太陽光発電モジュール１を連結させる際、嵌合部５０を目視しながら施工を行うことができるため、連結作業を行いやすい。また、フランジ５１に嵌合部５０を設けることにより、嵌合のための構造を比較的容易に作製することができる。
【０１０３】
また、第２の実施の形態に係る太陽光発電モジュール１では、筐体２１は直方体または立方体である。また、筐体２１において対向するフランジ５１は、互いに嵌合可能な形状を有する。
【０１０４】
このような構成により、他の太陽光発電モジュール１にそれぞれ設けられたフランジ５１同士を嵌合させることで、複数の太陽光発電モジュール１を一列に並べて連結することができる。
【０１０５】
また、第２の実施の形態に係る太陽光発電モジュール１では、フランジ５１には、複数の太陽光発電モジュール１が並んで取り付けられるフレーム部材Ｆ１に筐体２１を固定するための取付穴５６が形成されている。また、フレーム部材Ｆ１に複数の筐体２１が固定された状態において、複数のフランジ５１にそれぞれ設けられた複数の取付穴５６がフレーム部材Ｆ１の延伸方向に沿って一列に並ぶ。
【０１０６】
このような構成により、複数の太陽光発電モジュール１をフレーム部材Ｆ１に固定するための作業を効率良く行うことができる。
【０１０７】
また、第２の実施の形態に係る太陽光発電モジュール１では、筐体２１の少なくとも一部は樹脂により形成されている。
【０１０８】
このような構成により、たとえば、射出成型などにより、筐体２１の側壁２４および当該筐体２１に含まれる嵌合部５０を低コストで一体成型することができる。
【０１０９】
また、第２の実施の形態に係る太陽光発電モジュール１では、嵌合部５０は、筐体２１の上面を含む面に設けられている。
【０１１０】
このような構成により、たとえば、フレーム部材Ｆ１に筐体２１を固定するための取付穴５６が嵌合部５０に形成されている場合、筐体２１の上面に設けられるレンズを上に向けた状態すなわち使用状態のまま、筐体２１の上方から当該筐体２１をフレーム部材Ｆ１に対して固定する作業を行うことができる。このため、たとえば、複数の太陽光発電モジュール１を連結した後にこれら複数の太陽光発電モジュール１をまとめてフレーム部材Ｆ１に固定するような場合、連結された太陽光発電モジュール１の向きを大きく変えることなく筐体２１をフレーム部材Ｆ１に対して固定する作業を行うことができるため、当該作業を容易に行うことができる。
【０１１１】
また、第２の実施の形態に係る太陽光発電モジュール１では、嵌合部５０は、筐体２１の底面を含む面に設けられていてもよい。
【０１１２】
このような構成により、たとえば、フレーム部材Ｆ１に筐体２１を固定するための取付穴５６が嵌合部５０に形成されている場合、筐体２１の下方から当該筐体２１をフレーム部材Ｆ１に対して固定する作業を行うことができる。このため、たとえば、複数の太陽光発電モジュール１を連結する前に太陽光発電モジュール１をそれぞれフレーム部材Ｆ１に固定するような場合、筐体２１をフレーム部材Ｆ１に対して固定するための作業に用いられる工具が筐体２１の上面のレンズに接触するなどの可能性を低くすることができ、当該作業を容易に行うことができる。
【０１１３】
以上の説明は、以下に付記する特徴を含む。
［付記１］
発電素子と、
前記発電素子が収容される筐体とを備え、
前記筐体の側壁には通気孔が形成され、
さらに、
前記通気孔を介した前記筐体の内部空間への異物侵入を抑制する異物侵入抑制部を備え、
前記筐体の上面にはフレネルレンズが設けられ、前記筐体の底面には前記発電素子が設けられ、
前記筐体の前記側壁は樹脂により形成され、前記通気孔は、射出成型により前記筐体の前記側壁と一体成型される、太陽光発電モジュール。
【０１１４】
［付記２］
発電素子と、
前記発電素子が収容される筐体とを備える太陽光発電モジュールであって、
前記筐体は、他の前記太陽光発電モジュールの前記筐体と嵌合可能な嵌合部を含み、
前記筐体の上面にはフレネルレンズが設けられ、前記筐体の底面には前記発電素子が設けられ、
前記筐体の前記側壁は樹脂により形成され、前記嵌合部は、射出成型により前記筐体の前記側壁と一体成型される、太陽光発電モジュール。
【０１１５】
＜第２部＞
【０１１６】
図１２は、通気孔２４ｈ周辺の構成を、さらに詳細に示す斜視図である。集光部２２および発電素子３０の構成は第１部と同様であり、ここでは図示を省略している。
すなわち、第１部と同様に、太陽光発電モジュール１は、光を受けて発電する発電素子３０と、発電素子３０を収容する閉鎖された筐体２１とを備えている。筐体２１は、太陽光を集光するレンズ（フレネルレンズ２２ｆ）が設けられた集光部２２、発電素子３０が配置される底部２３、および、底部２３の外枠を成し、集光部３０を支持する側壁２４を有する。
【０１１７】
側壁２４の外側には、樹脂製の庇部６０が、側壁２４と一体に形成されている。なお、製造上は側壁２４と一体に形成するのが簡単であるが、必ずしも一体でなくてもよい。この庇部６０は、第１部で説明した外部側カバー１４１と同様な形状であり、また、同様の機能を有するが、後述のバリエーションをも含めて、以後、「庇部」と称する。
【０１１８】
すなわち、庇部６０の形状とは、通気孔２４ｈの上から側壁２４の外側へ張り出す張り出し部６０ａと、張り出した先端側から、通気孔２４ｈの外側に沿って下へ垂れる垂下部６０ｂとを有する形状である。ここで、「上」とは、底部２３から見た集光部２２（図示せず）の方向、「下」とはその逆の方向である。フィルタ１４２は、通気孔２４ｈの内面側の外縁部に溶着される。このフィルタ１４２は、図７に登場したフィルタ１４２とは異なり、側壁２４と別体であり、たとえば、溶着により、側壁２４に取り付けられる。フィルタ１４２の材質は、たとえば、四フッ化エチレン樹脂の網状体である。
【０１１９】
このような庇部６０を設けることにより、上から落ちてくる塵埃、水滴、異物、その他通気孔２４ｈには入れたくない物（以下、塵埃等という。）を、庇部６０によって排除することができる。
【０１２０】
次に、図１３は、庇部６０の形態の第２例を示す斜視図である。庇部６０の形状以外は、図１２と同様である。
図１３において、この庇部６０は、通気孔２４ｈの上から側壁２４の外側へ張り出す張り出し部６０ａと、張り出した先端側から、通気孔２４ｈの外側に沿って下へ垂れる垂下部６０ｂとを有する形状である。
【０１２１】
ここで、張り出し部６０ａは、下り傾斜して形成されている。垂下部６０ｂは、若干、下へ行くほど通気孔２４ｈから離れるように傾斜している。従って、庇部６０は、その上面全体が下り傾斜している。但し、垂下部６０ｂは真下（鉛直）であってもよく、要するに、全体として平坦（水平）な部分や上向きになっている部分が無ければよい。
【０１２２】
このような庇部６０の形態は、付着した塵埃が滑り落ち易くなるので、塵埃等が、庇部の上面に堆積しにくいという利点がある。
【０１２３】
次に、図１４は、庇部６０の形態の第３例を示す斜視図である。庇部６０の形状以外は、図１２と同様である。
図１４において、この庇部６０は、通気孔２４ｈの上から側壁２４の外側へ張り出し、かつ、通気孔２４ｈの外側で下へ垂れる滑らかに連続した形状である。
【０１２４】
このような庇部６０は、その上面全体が滑らかに下り傾斜している。
このような庇部６０の形態は、図１３の形態よりもさらに、付着した塵埃が滑り落ち易くなるので、塵埃等が、庇部の上面に堆積しにくいという利点がある。
【０１２５】
次に、図１５は、庇部６０周辺の形態の第４例を示す斜視図である。この庇部６０の形状は、図１４と同様であり、同様の作用効果を有する。図１４と異なるのは、通気孔２４ｈに格子部２４ｇが形成されている点である。このような格子部２４ｇを設けることにより、内面側のフィルタ１４２を省略しても、塵埃等に対する一定の排除効を実現することができる。言い換えれば、この格子部２４ｇも、一種の「フィルタ」である。すなわち、この格子部２４ｇは、図７に登場したフィルタ１４２と同様の物であり、同様の機能を有する。
【０１２６】
なお、この格子部２４ｇは縦方向としたが、その他、横方向や、網状であってもよい。格子の開口寸法や開口率は、想定される塵埃等の大きさを考慮して適宜、設定することができる。
【０１２７】
次に、図１６は、庇部６０の形態の第５例を示す斜視図である。また、図１７は、庇部６０を外側から見た正面図である。
通気孔２４ｈに格子部２４ｇを設ける点は、図１５と同様であり、格子部２４ｇは同様の作用効果を奏する。当該第５例が、図１５の第４例と異なるのは、庇部６０が、通気孔２４ｈの上側の一部を隠す形状である点である。言い換えれば、庇部６０は、通気孔２４ｈを外側正面から全部隠す（但し、下方に隙間はある。）ことにならない。従って、庇部６０による塵埃等の排除と、通気孔２４ｈの良好な通気性とを、両立させることができる。
【０１２８】
次に、図１８は、太陽光発電装置１００の外観を示す側面図である。第１部では簡略に示した架台２（図１）は、詳細には、図１８における台座２ａ、その上に鉛直に設けられる支柱２ｂ、支柱２ｂに取り付けられる制御盤２ｃ、支柱２ｂの上端に設けられる追尾機構２ｄ、追尾気孔２ｄと太陽光発電パネル１０とを繋ぐ追尾シャフト２ｅ、及び、パネル筐体１２とを備えている。
【０１２９】
太陽光発電パネル１０は、複数の太陽光発電モジュール１が、パネル筐体１２に収容されたものである。太陽光発電パネル１０には、太陽の位置を検知するための太陽位置センサ（追尾センサ）１１が取り付けられている。
追尾機構２ｄは、方位角及び仰角の２軸に駆動可能な機構を有し、制御盤２ｃに設けられた制御部（図示せず。）の制御によって、常に、太陽を追尾するように制御される。
【０１３０】
追尾動作が正確に行われている場合は、太陽光発電パネル１０に対して法線方向から太陽光が当たる。すなわち、太陽光は、入射角０度若しくはその許容誤差範囲内（以下、単に入射角０度という。）で、太陽光発電パネル１０に入射する。
【０１３１】
図１９は、集光部２２のフレネルレンズ２２ｆに対して入射角０度で太陽光が入射する場合の光路を示す断面図である。底部２３上には、ＦＰＣ３１が設けられ、その上に発電素子３０が実装されている。フレネルレンズ２２ｆによって集光した太陽光は、対応する発電素子３０に入射する。
【０１３２】
次に、図２０は、追尾がずれている場合の、太陽光発電装置１００と太陽光との関係を示す側面図である。この場合、太陽光は太陽光発電パネル１０に対して法線方向ではない。
【０１３３】
図２１は、集光部２２のフレネルレンズ２２ｆに対して入射角が０度より許容範囲外に大きくずれた状態で太陽光が入射する場合の光路を示す断面図である。この場合、左端のフレネルレンズ２２ｆによって集光させられた光は、通気孔２４ｈおよびそのまわりに当たる可能性がある。この場合、樹脂製の側壁２４や、フィルタ１４２、通気孔２４ｈの内壁、あるいは、格子部２４ｇが焼損する可能性がある。
【０１３４】
図２２は、図２１と同様に、集光部２２のフレネルレンズ２２ｆに対して入射角が０度より許容範囲外に大きくずれた状態で太陽光が入射する場合の光路を示す断面図である。但し、上記の可能性を想定して、遮蔽板７０が設けられている。遮蔽板７０は、側壁２４の内面から支持腕部７１により支えられ、内方へ張り出して設けられている。また、遮蔽板７０は、側壁２４の内面と概ね平行であり、通気孔２４ｈを、側壁２４の内面側から隠すように配置されている。但し、支持腕部７１があるので、遮蔽板７０が通気孔２４ｈを塞ぐことはない。
【０１３５】
図２３は、集光部２２の図示を省略した筐体２１における遮蔽板７０の配置を示す概略の平面図である。図示のように、遮蔽板７０は、側壁２４の四辺の内面に沿ってそれぞれ設けられている。また、この例では、通気孔２４ｈは、一対二組（４個）設けられている。
【０１３６】
図２２に戻り、このように側壁２４の内面に沿って内方へ張り出して設けられた遮蔽板７０は、集光する太陽光が発電素子３０から外れた場合に、集光する太陽光から側壁２４の内面および通気孔２４ｈを遮蔽する。この遮蔽によって、たとえば、側壁２４の内面や、通気孔２４ｈに設けられるフィルタ１４２、格子部２４ｇの焼損を防止することができる。遮蔽板７０は、側壁２４と同じ樹脂で形成することができる。従って、遮蔽板７０を側壁２４と一体に形成することも可能である。
【０１３７】
同じ樹脂を用いても、遮蔽板７０は焼損を免れることができる。その理由は、側壁２４の内面より内方へ張り出して設けられていることによって、集光する太陽光を、集束しきらない比較的大きな光スポットの状態で受けることができるからである。
【０１３８】
また、遮蔽板７０は、側壁２４の四辺の内面に沿ってそれぞれ設けられているので、追尾ずれが方位角および仰角のいずれの場合にも、側壁２４の内面や、通気孔２４ｈに設けられるフィルタ１４２、格子部２４ｇ等の焼損を防止することができる。
【０１３９】
＜補記＞
なお、第１部、第２部のそれぞれにおいて、開示された実施の形態（実施例）はすべての点で例示であって制限的なものではないと考えられるべきである。本発明の範囲は特許請求の範囲によって示され、特許請求の範囲と均等の意味及び範囲内での全ての変更が含まれることが意図される。
【符号の説明】
【０１４０】
１，１Ａ，１Ｂ  太陽光発電モジュール
２  架台
２ａ  台座
２ｂ  支柱
２ｃ  制御盤
２ｄ  追尾機構
２ｅ  追尾シャフト
１０  太陽光発電パネル
１１  太陽位置センサ
１２  パネル筐体
２１  筐体
２２  集光部
２２ｆ  フレネルレンズ（レンズ）
２３  底部
２４  側壁
２４ｇ  格子部（フィルタ）
２４ｈ  通気孔
２７  フランジ
２８  取付穴
２９  ボルト
３０  発電素子
３１  ＦＰＣ
４０  光軸確認部
５０  嵌合部
５１，５１Ａ，５１Ｂ，５１Ｃ，５１Ｄ  フランジ
５２Ａ，５２Ｂ，５４Ｃ，５４Ｄ  凸部
５３Ａ，５３Ｂ，５５Ｃ，５５Ｄ  凹部
５６  取付穴（固定部）
５７  ボルト
６０  庇部
６０ａ  張り出し部
６０ｂ  垂下部
７０  遮蔽板
７１  支持腕部
１００  太陽光発電装置
１４０  異物侵入抑制部
１４１  外部側カバー（庇部）
１４２  フィルタ
Ｃ１  太陽方位計
Ｅ１  収容部
Ｆ１  フレーム部材
Ｍ１  駆動部
【図１】
2018137996.tif 000003
【図２】
2018137996.tif 000004
【図３】
2018137996.tif 000005
【図４】
2018137996.tif 000006
【図５】
2018137996.tif 000007
【図６】
2018137996.tif 000008
【図７】
2018137996.tif 000009
【図８】
2018137996.tif 000010
【図９】
2018137996.tif 000011
【図１０】
2018137996.tif 000012
【図１１】
2018137996.tif 000013
【図１２】
2018137996.tif 000014
【図１３】
2018137996.tif 000015
【図１４】
2018137996.tif 000016
【図１５】
2018137996.tif 000017
【図１６】
2018137996.tif 000018
【図１７】
2018137996.tif 000019
【図１８】
2018137996.tif 000020
【図１９】
2018137996.tif 000021
【図２０】
2018137996.tif 000022
【図２１】
2018137996.tif 000023
【図２２】
2018137996.tif 000024
【図２３】
2018137996.tif 000025